(57)【要約】【課題】ディジタルインタフェース（共通チャネル形信号方式）等を局間に施設することなく交換機間のローミングを実現するＩＰ交換機間ローミング方法を提供する。【解決手段】インターネットを介してパケットの送受信を行う通信制御部と、通信制御部に接続され、通信制御部からのインターネットで使用されるプロトコルの呼制御信号を送受信して分析または制御するプロトコル制御部と、プロトコル制御部に接続され、移動端末及びプロトコル制御部からの呼制御信号を送受信し制御する呼制御部と、呼制御部および移動端末基地局に接続され、移動端末基地局からの呼制御信号を送受信し分析または制御し、呼制御部に呼制御信号を送信する移動端末基地局制御部と、自圏内に存在する他交換機に属する移動端末情報を有するローミングデータ管理部とを有する。【選択図】      図１
2007251612.tif 000002
【特許請求の範囲】
【請求項１】
インターネットを介してパケットの送受信を行う通信制御部と、
前記通信制御部に接続され、前記通信制御部からのインターネットで使用されるプロトコルの呼制御信号を送受信して分析または制御するプロトコル制御部と、
前記プロトコル制御部に接続され、移動端末及び前記プロトコル制御部からの呼制御信号を送受信し制御する呼制御部と、
前記呼制御部および移動端末基地局に接続され、前記移動端末基地局からの呼制御信号を送受信し分析または制御し、前記呼制御部に前記呼制御信号を送信する移動端末基地局制御部と、
自圏内に存在する他交換機に属する移動端末情報を有するローミングデータ管理部とを有することを特徴とするＩＰ電話交換機。
【請求項２】
インターネットで使用されるプロトコルはＳＩＰプロトコルであることを特徴とする請求項１記載のＩＰ電話交換機。
【請求項３】
プロトコル制御部では、更にＳＩＰプロトコルの拡張パラメータを使用してＩＰ電話交換間でローミング情報を送受信することを特徴とする請求項２記載のＩＰ電話交換機。
【請求項４】
インターネットを介して接続されるＩＰ電話交換機間のローミング方法において、
第１のＩＰ電話交換機に在圏する移動端末が第２のＩＰ電話交換機の圏内へ移動するに際し、前記第１のＩＰ電話交換機と前記第２のＩＰ電話交換機間で前記インターネットを介して前記移動端末の位置情報の交換を行い、
前記第１のＩＰ電話交換機は前記移動端末が前記第２のＩＰ電話交換機に在圏していることおよび前記第２のＩＰ電話交換機が自圏内に前記移動端末が在圏していることを認識し、
前記第１のＩＰ電話交換機に収容されている電話端末が前記移動端末へ発呼する際に前記位置情報を用いて発呼することを特徴とするＩＰ電話交換機間ローミング方法。
【請求項５】
前記位置情報の交換は、ＳＩＰプロトコルの拡張パラメータを使用して送受信することを特徴とする請求項４記載のＩＰ電話交換機。
【発明の詳細な説明】
【技術分野】
【０００１】
本発明は,ＩＰ(Ｉｎｔｅｒｎｅｔ  Ｐｒｏｔｏｃｏｌ)電話交換機間のローミング方法に関するものであり、特に、ＩＰネットワーク上でＶｏＩＰ（Ｖｏｉｃｅ  ｏｖｅｒ  Ｉｎｔｅｒｎｅｔ  Ｐｒｏｔｏｃｏｌ）呼制御プロトコルにＳＩＰ（Ｓｅｓｓｉｏｎ  Ｉｎｉｔｉａｔｉｏｎ  Ｐｒｏｔｏｃｏｌ）を用いた電話交換機機能を提供する呼制御サーバ間のローミング付加サービスに適用して好適なものである。
【背景技術】
【０００２】
従来、ＰＢＸ（Ｐｒｉｖａｔｅ  Ｂｒａｎｃｈ  ｅＸｃｈａｎｇｅ）やＩＰ電話交換サーバでは、ＴＴＣ（Ｔｈｅ  Ｔｅｌｅｃｏｍｍｕｎｉｃａｔｉｏｎ  Ｔｅｃｈｎｏｌｏｇｙ  Ｃｏｍｍｉｔｔｅｅ：社団法人  情報通信委員会）標準ＪＪ−２０．６０私設総合サービス（ＰＢＸ間ローミング付加サービス）に開示される様に局間（各交換装置の間）の通信方式は、ＰＢＸ間ディジタルインタフェース（共通チャネル形信号方式）で実現されている。
【０００３】
図８は、従来のＰＢＸにおけるＰＢＸ間ローミング付加サービスを提供するためのシステムを示す。ＰＢＸ間にＰＢＸ間ディジタルインタフェース（共通チャネル形信号方式）を施設し、ＰＢＸ８に収容されるＰＨＳ（Ｐｅｒｓｏｎａｌ  Ｈａｎｄｙｐｈｏｎｅ  Ｓｙｓｔｅｍ）がＰＢＸ９に移動した場合のＰＢＸ間ローミング付加サービスを実現している。
【０００４】
具体的には、東京拠点の内線ＰＨＳ３が横浜拠点に移動すると（１）、ＰＢＸ８とＰＢＸ９の間でＰＢＸ間ディジタルインタフェース（共通チャネル形信号方式）を介しＰＨＳ位置情報の交換が行われる（２）。その結果、ＰＢＸ８では内線ＰＨＳ３（内線番号：５０００番）がＰＢＸ９に在圏していることを認識し、また、ＰＢＸ９ではＰＢＸ８の内線ＰＨＳ（内線番号：５０００番）が自局に在圏していることを認識する（３）。そして、ＰＢＸ８に収容される内線から内線ＰＨＳ（内線番号：５０００番）を呼び出した場合、ＰＢＸ８の内線ＰＨＳ情報をもとにＰＢＸ間ディジタルインタフェース（共通チャネル形信号方式）を介してＰＨＳを追いかけてＰＢＸ９に在圏しているＰＨＳ（内線番号：５０００番）を呼び出すことができる（４）。
【０００５】
図９は、ＩＰ電話交換サーバ間でＰＢＸ間ローミング付加サービスを提供する場合のシステム構成を示す。このシステムでは、東京拠点の内線ＰＨＳが横浜拠点に移動すると（１）、ＩＰ電話交換サーバ１が管理するＩＰ対応遠隔回線ユニット１０とＩＰ電話交換サーバ２が管理するＩＰ対応遠隔回線ユニット１１の間のＰＢＸ間ディジタルインタフェース（共通チャネル形信号方式）を介しＰＨＳ位置情報の交換が行われる（２）。この結果、ＩＰ電話交換サーバ１では、内線ＰＨＳ（内線番号：５０００番）がＩＰ電話交換サーバ２に在圏していることを認識し、また、ＩＰ電話交換サーバ２ではＩＰ電話交換サーバ１の内線ＰＨＳ（内線番号：５０００番）が自局に在圏していることを認識する（３）。そして、ＩＰ電話交換サーバ１に収容される内線から内線ＰＨＳ（内線番号：５０００番）を呼び出した場合、ＩＰ電話交換サーバ１の内線ＰＨＳ情報をもとにディジタルインタフェース（共通チャネル形信号方式）を介してＰＨＳを追いかけＩＰ電話交換サーバ２に在圏しているＰＨＳ（内線番号：５０００番）を呼び出すことができる（４）。
【非特許文献１】ＴＴＣ標準ＪＪ−２０．６０私設総合サービス網（ＰＢＸ間ローミング付加サービス）−ＰＢＸ間信号プロトコル仕様
【非特許文献２】ＴＴＣ標準ＪＴ−Ｑ９３１−ａＰＢＸ間ディジタルインタフェース（共通チャネル形信号方式）−レイヤ３仕様
【非特許文献３】ＲＦＣ３２６１  Ｓｅｓｓｉｏｎ  Ｉｎｉｔｉａｔｉｏｎ  Ｐｒｏｔｏｃｏｌ  （ＳＩＰ）
【発明の開示】
【発明が解決しようとする課題】
【０００６】
しかしながら、従来の方法でＰＢＸ間ローミング付加サービスを実現するためには、ＰＢＸ間ディジタルインタフェース（共通チャネル形信号方式）を局間に施設することが必須になってしまうという問題点があった。
【課題を解決するための手段】
【０００７】
かかる課題を解決するため、本発明は、インターネットを介してパケットの送受信を行う通信制御部と、通信制御部に接続され、通信制御部からのインターネットで使用されるプロトコルの呼制御信号を送受信して分析または制御するプロトコル制御部と、プロトコル制御部に接続され、移動端末及びプロトコル制御部からの呼制御信号を送受信し制御する呼制御部と、呼制御部および移動端末基地局に接続され、移動端末基地局からの呼制御信号を送受信し分析または制御し、呼制御部に呼制御信号を送信する移動端末基地局制御部と、自圏内に存在する他交換機に属する移動端末情報を有するローミングデータ管理部とを有するものである。
【０００８】
また、インターネットを介して接続されるＩＰ電話交換機間のローミング方法において、第１のＩＰ電話交換機に在圏する移動端末が第２のＩＰ電話交換機の圏内へ移動するに際し、第１のＩＰ電話交換機と第２のＩＰ電話交換機間でインターネットを介して移動端末の位置情報の交換を行い、第１のＩＰ電話交換機は移動端末が第２のＩＰ電話交換機に在圏していることおよび第２のＩＰ電話交換機が自圏内に移動端末が在圏していることを認識し、第１のＩＰ電話交換機に収容されている電話端末が移動端末へ発呼する際に位置情報を用いて発呼するものである。
【発明の効果】
【０００９】
本発明によれば、交換機間に特別の情報伝送手段を施設せずにローミング付加サービスを実現することができる。
【発明を実施するための最良の形態】
【００１０】
以下、本発明によるＩＰ電話交換機間ローミング方法の実施形態を図面を参照しながら説明する。
【００１１】
（１）実施形態の構成
図１は実施形態のシステム構成を示す図であり、ＩＰ電話交換サーバ１／２、ＰＨＳ３、電話端末４、ＶｏＩＰ網５およびＰＨＳ基地局６／７を有する。
図２はＩＰ電話交換サーバ１および２の内部構成を示す図である。ＩＰ電話交換サーバ１はローミングデータ管理部１０１、呼制御部１０２、ＳＩＰ制御部１０３およびＩＰ通信制御部１０４を有する。
【００１２】
ローミングデータ管理部１０１はローミング情報データベースを有し、ＨＬＲ（ホーム  ロケーション  レジスタ）情報を蓄積する。ＨＬＲ情報は、ローミング（位置）登録時、ホーム局（ＩＰ電話交換サーバ１）で移動先の情報を記録するデータであり、ビジター局（ＩＰ電話交換サーバ２）の局番号、移動するＰＨＳの内線番号、認証情報、その他の内線加入者情報、ビジター局で割り付けた仮内線番号等を有する。そして、ローミングしているＰＨＳ に着信があるとホーム局では、ＨＬＲの情報を元にビジター局へＰＨＳの情報を自動転送する。
【００１３】
呼制御部１０２は、ＳＩＰ制御部１０３からのレイヤ４呼制御信号を送受信し制御する。
【００１４】
ＳＩＰ制御部１０３は、ＩＰ通信制御部１０４からのＳＩＰ呼制御信号を送受信し分析・制御する。本実施形態では特に、ＳＩＰプロトコルではテキストベースの「Ｘ」で始まる拡張パラメータを使用することで非標準であるデータフィールドを付与することができることを利用してＩＰ電話交換サーバ間でローミングに関わる情報を通知する。具体的には以下に示すように拡張パラメータにローミング情報を設定する。
ローミング発番号情報:Ｘ−Ｒｏａｍｉｎｇ−Ｃｇｐｎ
ローミング着番号情報: Ｘ−Ｒｏａｍｉｎｇ−Ｃｄｐｎ
ローミングファシリティ情報: Ｘ−Ｒｏａｍｉｎｇ−Ｆａｃｉｌｉｔｙ
【００１５】
ＩＰ通信制御部１０４は、ＶｏＩＰ網５を介してＩＰパケットの送受信を行い、信号がＳＩＰ信号の場合、ＳＩＰ制御部１０３に信号を転送する。
【００１６】
ＩＰ電話交換サーバ２はローミングデータ管理部２０１、呼制御部２０２、ＳＩＰ制御部２０３、ＩＰ通信制御部２０４およびＰＨＳ基地局制御部２０５を有する。
【００１７】
ローミングデータ管理部２０１はローミング情報データベースを有し、ＶＬＲ（ビジタ  ロケーション  レジスタ）情報を蓄積する。ＶＬＲはローミング（位置）登録時、ビジター局で割り付けられるデータである。 例えば、ホーム局の局番号、内線番号、認証鍵等が含まれる。
【００１８】
呼制御部２０２は、ＰＨＳ基地局制御部２０５及びＳＩＰ制御部２０３からのレイヤ４呼制御信号を送受信し制御する。
【００１９】
ＳＩＰ制御部２０３は、ＩＰ通信制御部２０４からのＳＩＰ呼制御信号を送受信し分析・制御する。ＳＩＰ制御部２０３同様、ＳＩＰプロトコルではテキストベースの「Ｘ」で始まる拡張パラメータを使用することで非標準であるデータフィールドを付与することができることを利用してＩＰ電話交換サーバ間でローミングに関わる情報を通知する。
【００２０】
ＩＰ通信制御部２０４は、ＶｏＩＰ網５を介してＩＰパケットの送受信を行い、信号がＳＩＰ信号の場合、ＳＩＰ制御部２０３に信号を転送する。
【００２１】
ＰＨＳ基地局制御部２０５は、ＰＨＳ基地局からのＰＨＳ呼制御信号を送受信し分析・制御する。
【００２２】
（２）実施形態の動作
以下、実施形態のＩＰ電話交換機間のローミング方法の動作を、図３〜図７を用いて説明する。
【００２３】
図３は、ＩＰ電話交換サーバにて実現するＰＢＸ間ローミング付加サービスの動作の概略を示す図である。
【００２４】
まず、東京拠点の内線ＰＨＳ３が横浜拠点に移動し（１）、ＩＰ電話交換サーバ１とＩＰ電話交換サーバ２の間のＩＰネットワーク上でＶｏＩＰ呼制御プロトコルにＳＩＰを用いた通信にてＰＨＳ位置情報の交換が行われる（２）。（２）の結果、ＩＰ電話交換サーバ１では内線ＰＨＳ：５０００番がＩＰ電話交換サーバ２に在圏していることを認識（ＨＬＲ情報）し、またＩＰ電話交換サーバ２ではＩＰ電話交換サーバ１の内線ＰＨＳ：５０００番が自局に在圏していることを認識（ＶＬＲ情報）する（３）。そして、ＩＰ電話交換サーバ１に収容される内線から内線ＰＨＳ：５０００番を呼び出した場合、ＨＬＲ情報をもとにＶｏＩＰ呼制御プロトコルにＳＩＰを用いた通信を介してＰＨＳを追いかけＩＰ電話交換サーバ２に在圏しているＰＨＳ：５０００番を呼び出すことができる。
【００２５】
次に本実施形態のローミング動作の標準機能について説明する。
ローミング動作の標準機能は、ローミング位置登録、ローミング着信、ローミング終了およびローミング情報問合せ、から成る。
ローミング位置登録では、ＳＩＰプロトコルのメッセージの内、「ＩＮＶＩＴＥ」、「２００ＯＫ」および「ＩＮＦＯ」を使用する。自局（ＰＢＸ等）収容でない移動ＰＨＳからの位置登録を受けた場合に、このＰＨＳを収容する局に対し、認証情報等を要求する。結果として該当ＰＨＳを収容する局ではこのＰＨＳが他局にローミングしていることを認識し、その局の情報を保持する。また、位置登録を受けた局では他局ＰＨＳがローミングしてきていることを認識し、そのＰＨＳを収容している局とＰＨＳの情報を保持する。
【００２６】
図４は、ＩＰ電話交換サーバ１、ＩＰ電話交換サーバ２および基地局７／移動ＰＨＳ３間における、ＩＰ電話交換サーバ２から発呼を行う場合のＳＩＰメッセージのやり取りの一例を示す図である。本実施形態のローミング位置登録では、ＩＰ電話交換サーバ２からＩＰ電話交換サーバ１へのＩＮＶＩＴＥメッセージ送出に際しての処理（Ａ）、ＩＰ電話交換サーバ１からＩＰ電話交換サーバ２への２００ＯＫメッセージ送出に際しての処理（Ｂ）および電話交換サーバ２からＩＰ電話交換サーバ１へのＩＮＦＯメッセージ送出に際しての処理（Ｃ）について特徴を有する。
【００２７】
処理（Ａ）では、ＩＰ電話交換サーバ２は、他局ＰＨＳからのＳＥＴＵＰメッセージにて位置登録要求を受信すると、ＩＮＶＩＴＥメッセージの拡張パラメータ「Ｘ」パラメータに「ローミング開始要求」を付与し、このＰＨＳを管理するＩＰ電話交換サーバ１に通知する。拡張パラメータとしては、ローミング発番号情報:Ｘ−Ｒｏａｍｉｎｇ−Ｃｇｐｎ、ローミング着番号情報: Ｘ−Ｒｏａｍｉｎｇ−Ｃｄｐｎおよびローミングファシリティ情報: Ｘ−Ｒｏａｍｉｎｇ−Ｆａｃｉｌｉｔｙを用いる。
【００２８】
処理（Ｂ）では、「ローミング開始要求」を受信したＩＰ電話交換サーバ１は、２００ＯＫメッセージの拡張パラメータ「Ｘ」パラメータに「ローミング開始応答」を付与したメッセージをＩＰ電話交換サーバ２返送する。拡張パラメータとしては、ローミングファシリティ情報: Ｘ−Ｒｏａｍｉｎｇ−Ｆａｃｉｌｉｔｙを用いる。
【００２９】
処理（Ｃ）では、「ローミング開始応答」を受信したＩＰ電話交換サーバ２はＩＮＦＯメッセージの拡張パラメータ「Ｘ」パラメータに「位置登録要求」を付与したメッセージをＩＰ電話交換サーバ１に返送する。拡張パラメータとしては、ローミングファシリティ情報: Ｘ−Ｒｏａｍｉｎｇ−Ｆａｃｉｌｉｔｙを用いる。
【００３０】
ローミング着信では、ＳＩＰプロトコルのメッセージの内、「ＩＮＶＩＴＥ」および「２００ＯＫ」を使用し、ローミング中のＰＨＳを収容する局（ＰＢＸ等）で該当ＰＨＳに着信があった場合に、そのＰＨＳが在圏する局まで追いかけて着信させる。ＰＨＳ収容局や在圏する局が保持する移動ＰＨＳの情報はローミング位置登録時の情報である。
【００３１】
図５は、ＩＰ電話交換サーバ１、ＩＰ電話交換サーバ２および基地局７／移動ＰＨＳ３間の、ＩＰ電話交換サーバ１から発呼を行う場合のＳＩＰメッセージのやり取りの一例を示す図である。本実施形態のローミング着信では、ＩＰ電話交換サーバ１からＩＰ電話交換サーバ２へのＩＮＶＩＴＥメッセージ送信に伴う処理（Ｄ）およびＩＰ電話交換サーバ１からＩＮＶＩＴＥメッセージを受信したＩＰ電話交換サーバ２の処理（Ｅ）に特徴を有する。
【００３２】
処理（Ｄ）では、ＩＰ電話交換サーバ１に収容される内線端末からローミング中のＰＨＳに対して発信する。そして、ＩＰ電話交換サーバ１は該当ＰＨＳがＩＰ電話交換サーバ２に在圏しているので、ＳＩＰプロトコル回線を使用してＩＮＶＩＴＥメッセージに拡張パラメータ「Ｘ」パラメータに「ローミング着信」を付与して発信する。拡張パラメータとしては、ローミング発番号情報:Ｘ−Ｒｏａｍｉｎｇ−Ｃｇｐｎ、ローミング着番号情報: Ｘ−Ｒｏａｍｉｎｇ−Ｃｄｐｎおよびローミングファシリティ情報: Ｘ−Ｒｏａｍｉｎｇ−Ｆａｃｉｌｉｔｙを用いる。
【００３３】
処理（Ｅ）では、ＩＰ電話交換サーバ２は、ＩＮＶＩＴＥメッセージに拡張パラメータ「Ｘ」パラメータがあり「ローミング着信」を示すパラメータが含まれていると自局に在圏しているＰＨＳへの着信であることを認識し、該当ＰＨＳへ着信させる。これ以降ローミング着信処理を行う。
【００３４】
ローミング終了では、ＳＩＰプロトコルのメッセージの内、「ＩＮＶＩＴＥ」を使用し、ローミング中のＰＨＳが再び移動し在圏していた局（ＰＢＸ等）から移動した場合、このＰＨＳを収容する局から在圏していた局に対して該当ＰＨＳがいなくなったことを通知する。
【００３５】
図６は、ＩＰ電話交換サーバ１とＩＰ電話交換サーバ２間における、ＩＰ電話交換サーバ１から発呼を行う場合のＳＩＰメッセージのやり取りの一例を示す図である。本実施形態のローミング終了では、ＩＰ電話交換サーバ１からＩＰ電話交換サーバ２へのＩＮＶＩＴＥメッセージ送信に伴う処理（Ｆ）およびＩＰ電話交換サーバ１からＩＮＶＩＴＥメッセージを受信したＩＰ電話交換サーバ２の処理（Ｇ）に特徴を有する。
【００３６】
処理（Ｆ）では、ＩＰ電話交換サーバ１は、自局収容のＰＨＳが他局にローミングしていることの確認、及び他局からのＰＨＳが自局にローミングしていることの確認を行うためＩＮＶＩＴＥメッセージの拡張パラメータ「Ｘ」パラメータに「情報問合要求」を付与し通知する。拡張パラメータとしては、ローミング発番号情報:Ｘ−Ｒｏａｍｉｎｇ−Ｃｇｐｎ、ローミング着番号情報: Ｘ−Ｒｏａｍｉｎｇ−Ｃｄｐｎおよびローミングファシリティ情報: Ｘ−Ｒｏａｍｉｎｇ−Ｆａｃｉｌｉｔｙを用いる。
【００３７】
処理（Ｇ）では、ＩＮＶＩＴＥメッセージの拡張パラメータ「Ｘ」パラメータに「ローミング終了」があった場合、該当ＰＨＳが自局にローミングしているという情報を削除する処理を行う。
【００３８】
ローミング情報問合せでは、ＳＩＰプロトコルのメッセージの内、「ＩＮＶＩＴＥ」および「２００ＯＫ」を使用し、ＰＨＳが収容されている局（ＰＢＸ等）と移動したＰＨＳが在圏している局の間でローミング中のＰＨＳの情報を問い合わせる。
【００３９】
図７は、ＩＰ電話交換サーバ１とＩＰ電話交換サーバ２間における、ＩＰ電話交換サーバ１から発呼を行う場合のＳＩＰメッセージのやり取りの一例を示す図である。本実施形態のローミング情報問合せでは、ＩＰ電話交換サーバ１からＩＰ電話交換サーバ２へのＩＮＶＩＴＥメッセージ送信に伴う処理（Ｈ）およびＩＰ電話交換サーバ２から２００ＯＫメッセージを送出する際の処理（Ｉ）に特徴を有する。
【００４０】
処理（Ｈ）では、ＩＰ電話交換サーバ１は、自局収容のＰＨＳが他局にローミングしていることの確認、及び他局からのＰＨＳが自局にローミングしていることの確認を行うためＩＮＶＩＴＥメッセージの拡張パラメータ「Ｘ」パラメータに「情報問合要求」を付与し通知する。拡張パラメータとしては、ローミング発番号情報:Ｘ−Ｒｏａｍｉｎｇ−Ｃｇｐｎ、ローミング着番号情報: Ｘ−Ｒｏａｍｉｎｇ−Ｃｄｐｎおよびローミングファシリティ情報: Ｘ−Ｒｏａｍｉｎｇ−Ｆａｃｉｌｉｔｙを用いる。
【００４１】
処理（Ｉ）では、ＩＮＶＩＴＥメッセージの拡張パラメータ「Ｘ」パラメータに「情報問合要求」があった場合、自局及び他局のローミング情報をチェックし２００ＯＫメッセージの拡張パラメータ「Ｘ」パラメータに「情報問合応答」を結果として通知する。拡張パラメータとしては、ローミングファシリティ情報: Ｘ−Ｒｏａｍｉｎｇ−Ｆａｃｉｌｉｔｙを用いる。
【００４２】
以上の実施形態においては、ＩＰ電話交換サーバについて適用した例を説明したが、ＩＰ−ＰＢＸ等のＶｏＩＰ呼制御プロトコルにＳＩＰを実装している装置であれば本発明は適用可能である。
【００４３】
（３）実施形態の効果
以上説明した実施形態によれば、ＳＩＰメッセージの拡張パラメータであるＸパラメータを利用してＰＢＸ間ローミング情報を転送することで、ＩＰ対応遠隔回線ユニット及びＰＢＸ間ディジタルインタフェース（共通チャネル形信号方式）を施設せずにＶｏＩＰ呼制御プロトコルにＳＩＰを用いることにより ＰＢＸ間ローミング付加サービスを実現することができる。
【図面の簡単な説明】
【００４４】
【図１】実施形態のスシステムの構成を示すブロック図である。
【図２】実施形態のＩＰ電話交換サーバの詳細構成を示すブロック図である。
【図３】実施形態のスシステムのローミング動作の概略を説明する図である。
【図４】実施形態のローミング位置登録の処理手順を示すフローチャートである。
【図５】実施形態のローミング着信の処理手順を示すフローチャートである。
【図６】実施形態のローミング終了の処理手順を示すフローチャートである。
【図７】実施形態のローミング情報問合せの処理手順を示すフローチャートである。
【図８】従来のＰＢＸ間ローミング付加サービスをＰＢＸ間で行う場合のスシステム構成を示すブロック図である。
【図９】従来のＰＢＸ間ローミング付加サービスをＩＰ電話交換サーバ間で行う場合のスシステム構成を示すブロック図である。
【符号の説明】
【００４５】
１／２…ＩＰ電話交換サーバ、３…ＰＨＳ、４…電話端末、５…ＶｏＩＰ網、６／７…基地局。
【図１】
2007251612.tif 000003
【図２】
2007251612.tif 000004
【図３】
2007251612.tif 000005
【図４】
2007251612.tif 000006
【図５】
2007251612.tif 000007
【図６】
2007251612.tif 000008
【図７】
2007251612.tif 000009
【図８】
2007251612.tif 000010
【図９】
2007251612.tif 000011